(57)【要約】      （修正有）【課題】人体上に安定して固定することができ、緩むことがない携帯式気体充填保護カバーを提供する。【解決手段】携帯式気体充填保護カバーは、人体に被せ設けられ、帯体と、気体充填装置と、弾性帯３０とを含む。帯体は、気体充填部を設け、その両側にそれぞれ柔軟で屈曲可能な第１包囲部及び第２包囲部１３を設け、第１包囲部及び第２包囲部によって使用者の胴体を包囲するリング空間を構成する。気体充填装置は、気体充填部の体積を変化させ、弾性帯の一端が第１包囲部に接続し、他端が第２包囲部と隣り合って位置決めされ、弾性帯の長さを変化させることにより、リング空間に内向きに収束する弾性作用力３２を発生させ、マッサージする時、帯体が緩み、偏移する問題を防止する。【選択図】図２Ｂ
0003213087.tif 000002
【実用新案登録請求の範囲】
【請求項１】
体積の大きさを変化させることができる気体充填部を設け、該気体充填部の内部構造に気体室を有し、且つ該気体充填部の両側にそれぞれ柔軟に屈曲可能な第１包囲部及び第２包囲部を設け、該第１包囲部及び第２包囲部によって使用者の胴体又は四肢を包囲するリング空間を構成する帯体と、
該帯体の外表面に取り付けられ、該気体室と互いに連通し、気体充填して該気体充填部の体積を変化させることに用いられ、該リング空間の寸法、大きさを変更する気体充填装置と、
一端が該第１包囲部に接続し、他端に該第２包囲部と接続する接続部材を設け、弾性伸縮でき、長さが変化し、該リング空間に内向きに収束する弾性作用力を発生させる弾性帯と、を含む、
携帯式気体充填保護カバー。
【請求項２】
更に補助弾性帯を含み、該補助弾性帯は一端が該第１包囲部に接続し、該弾性帯とそれぞれ該帯体の短軸に近接する相反した両側位置に配列される請求項１に記載の携帯式気体充填保護カバー。
【請求項３】
前記第１包囲部は、該気体充填部に近接する第１端及び該気体充填部から離れる第２端を有し、該弾性帯は、該第１包囲部の該第１端の位置に接続し、且つ該弾性帯及び該第１包囲部が同時に該第２包囲部に接続する時、該弾性帯は、該第１包囲部及び該第２包囲部の間に位置する請求項１に記載の携帯式気体充填保護カバー。
【請求項４】
前記第１包囲部は、該気体充填部に近接する第１端及び該気体充填部から離れる第２端を有し、該弾性帯が該第１包囲部の第２端の位置に接続し、且つ該弾性帯及び該第１包囲部が同時に該第２包囲部に接続する時、該弾性帯及び該第１包囲部は、それぞれ該第２包囲部外側の異なる位置を覆う請求項１に記載の携帯式気体充填保護カバー。
【請求項５】
前記第１包囲部は、第１シート及び第２シートを含み、該第１シート及び該第２シートのそれぞれの内側面に該帯体の短軸辺縁に近接する固定部材を設け、該２つの固定部材をそれぞれ該帯体の相反する両側辺に位置させ、該第２包囲部の外側面に該２つの固定部材に合わせて位置決めする少なくとも１つの組み合わせ部材を設ける請求項１に記載の携帯式気体充填保護カバー。
【請求項６】
該第１シートの一部の範囲及び該第２シートの一部の範囲が互いに重なり合い、且つ該第１シートの該第２シートに覆われていない残り部分の範囲及び該第２シートの該該第１シートに覆われていない残り部分の範囲の間に間隔空間を形成する請求項５に記載の携帯式気体充填保護カバー。
【請求項７】
前記間隔空間の形状は、該気体充填装置の外型輪郭に対応する請求項６に記載の携帯式気体充填保護カバー。
【請求項８】
前記第２包囲部及び気体充填部の外側表面に組み合わせ部材を共同で設け、該組み合わせ部材は、該弾性帯、該第１包囲部及び該気体充填装置の三者を接続固定することに用いられる請求項１に記載の携帯式気体充填保護カバー。
【請求項９】
前記気体充填部の該帯体に近接する外表面の一側に制限片を設けることによって、該気体充填部に体積を変化させる時、該気体充填部が該リング空間の方向へ体積を変化させる請求項１に記載の携帯式気体充填保護カバー。
【請求項１０】
前記帯体の内表面に結合部及び少なくとも１つの突起を設け、該突起は、結合部材によって該帯体の結合部の任意の位置に結合し、該リング空間中の胴体に対して圧迫を行う請求項１に記載の携帯式気体充填保護カバー。
【請求項１１】
体積の大きさを変化させることができる第１気体充填部を設け、該第１気体充填部の内部構造に第１気体室を有し、且つ該第１気体充填部の両側にそれぞれ柔軟に屈曲可能な第１左包囲部及び第１右包囲部を設け、該第１左包囲部及び第１右包囲部によって、使用者の足部の一部を包囲する第１リング空間を構成する第１帯体と、該第１帯体に接続し、第２気体充填部を設け、該第２気体充填部の内部構造に第２気体室を有し、且つ該第２気体充填部の両側にそれぞれ柔軟に屈曲可能な第２左包囲部及び第２右包囲部を設け、該第２左包囲部及び第２右包囲部によって該使用者の足部の一部と異なる部分を包囲する第２リング空間を構成する第２帯体とを有する本体と、
該本体の外表面に取り付けられ、該第１気体室及び第２気体室と相互に連通し、気体充填して該第１気体充填部及び第２気体充填部の体積を変化させ、該第１リング空間及び第２リング空間の寸法、大きさを変化させる気体充填装置と、
一端が該第１左包囲部に接続し、他端に該第１右包囲部と接続する第１接続部材を設け、弾性伸縮して長さを変化させ、該第１リング空間に内向きに収束する弾性作用力を発生させる第１弾性帯と、
一端が該第２左包囲部に接続し、他端に該第２右包囲部と接続する第２接続部材を設け、弾性伸縮して長さを変化させ、該第２リング空間に内向きに収束する弾性作用力を発生させる第２弾性帯と、を含む、
携帯式気体充填保護カバー。
【請求項１２】
更に補助弾性帯を含み、該補助弾性帯は一端が第１帯体又は該第２帯体の少なくとも一方に対応する該第１右包囲部又は該第２右包囲部に接続し、対応する該第１弾性帯又は該第２弾性帯とそれぞれ対応する該第１帯体又は第２帯体の短軸に近接する相反した両側位置に配列される請求項１１に記載の携帯式気体充填保護カバー。
【請求項１３】
前記第１帯体又は該第２帯体の少なくとも一方の対応する該第１左包囲部又は該第２左包囲部は、対応する該第１気体充填部又は該第２気体充填部に近隣する第１端及び対応する該第１気体充填部又は該第２気体充填部から離れる第２端を有し、対応する該第１弾性帯又は第２弾性帯は、対応する該第１左包囲部又は該第２左包囲部の該第１端の位置に接続し、且つ対応する該第１弾性帯又は該第２弾性帯及び対応する該第１左包囲部又は該第２左包囲部が該第１右包囲部又は該第２右包囲部に接続する時、対応する該第１弾性帯又は該第２弾性帯は、対応する該第１左包囲部、対応する該第１右包囲部又は該第２左包囲部又は該第２右包囲部の間に位置する請求項１１に記載の携帯式気体充填保護カバー。
【請求項１４】
前記第１帯体又は第２帯体の少なくとも一方の対応する該第１左包囲部、該第２左包囲部は、該気体充填部に近接する第１端及び該気体充填部から離れる第２端を有し、該弾性帯が該第１左包囲部、該第２左包囲部の第２端の位置に接続し、且つ該弾性帯及び該第１左包囲部、該第２左包囲部が同時に該第１右包囲部、該第２右包囲部に接続する時、該弾性帯及び該第１左包囲部、該第２左包囲部は、それぞれ該第１右包囲部、該第２右包囲部外側の異なる位置を覆う請求項１１に記載の携帯式気体充填保護カバー。
【請求項１５】
前記第１帯体又は第２帯体の少なくとも一方の対応する該第１左包囲部又は該第２左包囲部は、第１シート及び第２シートを含み、該第１シート及び該第２シートの両者のそれぞれの内側面に対応する該第１帯体又は該第２帯体の短軸辺縁に近接する固定部材を設け、該２つの固定部材をそれぞれ対応する該第１帯体又は該第２帯体の相反する両側辺に位置させ、対応する該第１右包囲部又は該第２右包囲部の外側面に該２つの固定部材に合わせて位置決めする少なくとも１つの組み合わせ部材を設ける請求項１１に記載の携帯式気体充填保護カバー。
【請求項１６】
該第１シートの一部の範囲及び該第２シートの一部の範囲が互いに重なり合い、且つ該第１シートの該第２シートに覆われていない残り部分の範囲及び該第２シートの該該第１シートに覆われていない残り部分の範囲の間に間隔空間を形成する請求項１５に記載の携帯式気体充填保護カバー。
【請求項１７】
前記間隔空間の形状は、該気体充填装置の外型輪郭に対応する請求項１６に記載の携帯式気体充填保護カバー。
【請求項１８】
前記第１帯体又は該第２帯体の少なくとも一方の対応する第１右包囲部又は該第２右包囲部及び対応する該第１気体充填部、第２気体充填部の外側表面に組み合わせ部材を共同で設け、該組み合わせ部材は、対応する該第１弾性帯、又は該第２弾性帯、対応する該第１左包囲部又は該第２左包囲部及び該気体充填装置を接続固定することに用いられる請求項１１に記載の携帯式気体充填保護カバー。
【請求項１９】
前記第１帯体又は該第２帯体の少なくとも一方の対応する第１気体充填部又は該第２気体充填部の対応する該第１帯体、該第２帯体に近接する外表面の一側に制限片を設けることによって、対応する該第１気体充填部又は第２気体充填部に体積を変化させる時、対応する該第１気体充填部又は該第２気体充填部が対応する該第１リング空間又は第２リング空間の方向へ体積を変化させる請求項１１に記載の携帯式気体充填保護カバー。
【請求項２０】
前記第１帯体又は該第２帯体の少なくとも一方の対応する第１帯体又は該第２帯体の内表面に結合部及び少なくとも１つの突起を設け、該突起は、結合部材によって該帯体の結合部の任意の位置に結合し、対応する該第１リング空間又は第２リング空間中の胴体に対して圧迫を行う請求項１１に記載の携帯式気体充填保護カバー。
【請求項２１】
前記気体充填装置が送気管により該第１気体室又は該第２気体室の少なくとも一方に連通し、且つ該第１気体室及び該第２気体室が連通管により相互に連通することによって、該第１気体室及び該第２気体室が同時に該気体充填装置により気体充填される請求項１１に記載の携帯式気体充填保護カバー。
【考案の詳細な説明】
【技術分野】
【０００１】
本考案は、携帯式気体充填保護カバーに関し、特に人体に装着し、且つ内部に気体を充填可能な気体バッグを設けた携帯式気体充填保護カバーに関する。
【背景技術】
【０００２】
気体バッグの体積の変化を利用し、人体をマッサージし、血液循環を促進又は筋肉をリラックスさせる技術は、既に年月を経ており、そのうち、従来技術のほとんどは、気体バッグを内部に含む（又は外付け）カバー体を利用し、該カバー体の位置は、該気体バッグをマッサージされたい位置に設置し、その後、気体充填装置を利用して該気体バッグに対して気体充填を行い、該気体バッグの体積を変化させ、人体に対して押圧を行い、マッサージ効果を発生する。
【０００３】
そのうち、このようにカバー体を人体上に被せて気体バッグを固定する固定方式、カバー体を人体上に固定する方式のほとんどは、カバー体上に開口を設計して人体を該カバー体が形成するカバー空間に入れ、その後、閉合装置、例えば、ボタン又は面ファスナー等を利用して該開口した部材を閉鎖し、該開口を密閉し、該カバー体を人体と緊密接触させ、その間の摩擦力を利用し、該カバー体と人体の間の位置関係を固定する。
【０００４】
しかしながら、このように、摩擦力を利用してカバー体と人体の間を固定する固定方式は、一般的状況下で該カバー体を人体の特定位置に固定させることができるが、該カバー体と別途体積を変化させることができる気体バッグを組み合わせる時、気体バッグがその体積を反復して変化させ、該カバー体内部の該カバー空間に気体バッグの押圧を絶えず受けさせて該空間の大きさを絶えず変化させ（そうでなければ、人体をマッサージすることができない）、該閉合装置が徐々に緩み、該カバー体を固定する摩擦力を低下させ、該カバー体を人体と緊密に接触させることができず、カバー体を元の位置から緩め、偏移させるので、十分に便利ではない。
【考案の概要】
【考案が解決しようとする課題】
【０００５】
本考案の目的は、内部を保護カバーする気体バッグが絶えず体積を変化させ、保護カバーが人体に巻き付く時に構成される空間の大きさを絶えず変化させ、人体上に安定して固定することができ、該空間の大きさが絶えず変化することによって保護カバーが緩むことがない携帯式気体充填保護カバーを提供することである。
【０００６】
本考案の目的は、保護カバー表面に迅速に着脱できる気体充填装置を有し、且つ該保護カバーが人体を固定した状態において、該気体充填装置を直接着脱することができる携帯式気体充填保護カバーを提供することである。
【０００７】
本考案の目的は、人体の異なる位置に装着し、それぞれマッサージ気体バッグを有する複数の帯体を有し、同一の気体充填装置によって人体の異なる部位に同時にマッサージを行うことができる携帯式気体充填保護カバーを提供することである。
【課題を解決するための手段】
【０００８】
該目的を達成するため、本考案の携帯式気体充填保護カバーは、人体に被せ設けられ、体積の大きさを変化させることができる気体充填部を設け、該気体充填部内部構造が気体室を有し、且つ気体充填部の両側に柔軟で屈曲可能な第１包囲部及び第２包囲部をそれぞれ設け、該第１包囲部及び第２包囲部によって使用者の胴体又は四肢を包囲するリング空間を構成する帯体と、該帯体の外表面に取り付けられ、該気体室と互いに連通し、気体を充填して該気体充填部の体積を変化させることに用いられ、該リング空間の寸法、大きさを変化させる気体充填装置と、一端が該第１包囲部に接続し、他端に該第２包囲部と接続する接続部材を設け、弾性伸縮でき、該弾性帯の長さを変化させることができ、該リング空間に内向きに収束する弾性作用力を発生させる弾性帯と、を含む。
【０００９】
該弾性帯について、使用者の胴体形状に更に貼合させるため、実施例において、該携帯式気体充填保護カバーは、更に補助弾性帯を含み、該補助弾性帯は、一端が、該第１包囲部に接続し、該弾性帯とそれぞれ該帯体の短軸に近接する操短する両側の位置に配列される。
【００１０】
また、実施例において、該第１包囲部は、該気体充填部に近隣する第１端及び該気体充填部から離れる第２端を有し、該弾性帯は、該第１包囲部の該第１端位置に接続し、且つ該弾性帯及び該第２包囲部が同時に該第２包囲部に接続する時、該弾性帯は、該第１包囲部及び該第２包囲部の間に位置する。
【００１１】
もう１つの実施例において、該第１包囲部は、該気体充填部に近隣する第１端及び該気体充填部から離れる第２端を有するが、該弾性帯は、該第１包囲部の第２端の位置に接続し、且つ該弾性帯及び該第１包囲部が同時に該２包囲部に接続する時、該弾性帯及び該第１包囲部は、それぞれ該第２包囲部外側の異なる位置に覆われる。
【００１２】
該第１包囲部の態様について、好適な実施例において、該第１包囲部は、第１シート及び第２シートを含み、該第１シート及び該第２シートの両者の内側面上にそれぞれ該帯体の短軸辺縁に近接する固定部材を設け、該２つの固定部材をそれぞれ該帯体の相反する両側辺に位置させ、該第２包囲部の外側面に該２つの固定部材に併せて位置決めされる少なくとも１つの組み合わせ部材を設ける。
【００１３】
そのうち、該第１シートの一部の範囲及び該第２シートの一部の範囲は、互いに重なり合い、且つ該第１シートの該第２シートにより覆われていない残りの部分の範囲及び該第２シートの該第１シートにより覆われていない残りの部分の範囲の間には、間隔空間が形成される。
【００１４】
重なり合う部分を利用して該第１シート及び該第２シートの間で組み合わせ時に相互に影響させることができ、該第１包囲部及び該第２包囲部の間の結合を更に安定させる。
【００１５】
該間隔空間の部分について、実施例で該間隔空間を利用して通気を補助する以外、実施例において、該間隔空間の形状は、該気体充填装置の外型輪郭に対応し、該気体填装置を該帯体が使用者の胴体に被せされる時、該間隔空間によって該帯体の外表面に着脱可能に取り付けることができる。
【００１６】
該気体充填部、第２包囲部の表面構造について、そのうち、該第２包囲部及び気体充填部の外側表面が共同で組み合わせ部材を設け、該組み合わせ部材は、該弾性帯、該第１包囲部及び該気体充填装置の三者を接続固定することに用いられる。
【００１７】
幾つかの別途の設計について、実施例において、該気体充填部の該帯体に近接する外側表面一側に制限片を設けることによって、該気体充填部に体積を変化させる時、該気体充填部は、該リング空間の方向へ体積を変化させ、良好なマッサージ効果を有する。実施例において、選択的に特定部位に対してマッサージ効果を強化するため、該帯体の内表面に結合部及び少なくとも１つの突起を設け、該突起は、結合部材によって該帯体の結合部の任意の位置に結合し、該リング空間中の胴体を圧迫する。
【００１８】
本考案が提供する携帯式気体充填保護カバーは、体積の大きさを変化させることができる第１気体充填部を設け、該第１気体充填部内部構造は、第１気体室を有し、且つ該第１気体充填部の両側にそれぞれ柔軟に屈曲できる第１左包囲部及び第１右包囲部を設け、該第１左包囲部及び第１右包囲部によって使用者の足部のうちの一部を包囲する第１リング空間を構成する第１帯体と、該第１帯体と接続し、第２気体充填部を設け、該第２気体充填部内部構造は、第２気体室を有し、且つ該第２気体充填部の両側にそれぞれ柔軟に屈曲できる第２左包囲部及び第２右包囲部を設け、該第２左包囲部及び第２右包囲部によって使用者の足部の異なる部分を包囲する第２リング空間を構成する第２帯体と、を有する本体を含む。
【００１９】
気体充填装置は、該本体の外表面に取り付けられ、該第１気体室は、該第２気体室と連通し、気体を充填して該第１気体充填部及び該第２気体充填部の体積を変化させることに用いられ、該第１リング空間及び第２リング空間の寸法、大きさを変化させる。
【００２０】
第１弾性帯は、該第１弾性帯の一端は、該第１左包囲部に接続し、他端は、該第１右包囲部と接続する第１接続部材を設け、弾性伸縮して該第１弾性帯の長さを変化させることができ、該第１リング空間に内向きに収束する弾性作用力を発生させ、第２弾性帯は、該第２弾性帯の一端は、該第２左包囲部に接続し、他端は、該第２右包囲部と接続する第２接続部材を設け、弾性伸縮して該第２弾性帯の長さを変化させ、該第２リング空間に内向きに収束する弾性作用力を発生させる。
【００２１】
該第１帯体、該第２帯体のその他の可能な構造態様の変化について、前述する該帯体の構造態様の変化の説明を参考とすることができるので、ここでは更に記載しない。
【００２２】
複数の帯体を有する時、如何に気体を充填するかの設計部分について、実施例において、該気体充填装置は、送気管によって該第１気体室又は第２気体室の少なくとも１つに連通し、且つ該第１気体室及び該第２気体室は、連通管により互いに連通することによって、該第１気体室及び該第２気体室が同時に該気体充填装置により気体充填される。
【考案の効果】
【００２３】
以上の説明から分かるように、本考案の利点は、弾性帯を利用して内向きに収束する弾性作用力を発生させる設計にあり、保護カバーの帯体が気体バックの体積の変化に合わせて形状を絶えず変化させる必要があったとしても該弾性作用力の作用によって該リング空間の大きさを保持し、該帯体を人体上に保持させて緩まないようにさせる。
【００２４】
また、該保護カバーの帯体の外側表面に共同で組み合わせ部材を設け、該弾性帯、該帯体一側の第１包囲部を使用者の肢体形状及び寸法に従って変化させ、該帯体上の位置に固定させ、該弾性帯及び該第１包囲部の重なり合っていない位置において、該組み合わせ部材によって気体充填装置を迅速に着脱でき、帯体内部の気体バッグに対して気体充填を行う。
【００２５】
且つ幾つかの実施例において、該携帯式気体充填保護カバーは、該帯体の数量を拡張することができ、複数の異なる帯体が発生する異なるリング空間を利用して人体上に被せ、それぞれ人体の異なる位置に対して圧迫マッサージを行うことができる。
【図面の簡単な説明】
【００２６】
【図１】本考案の携帯式気体充填保護カバーの実施例の説明図である。
【図２Ａ】実施例中の使用説明図である。
【図２Ｂ】実施例中の使用説明図である。
【図２Ｃ】実施例中の使用説明図である。
【図２Ｄ】実施例中の使用説明図である。
【図２Ｅ】実施例中の使用説明図である。
【図３Ａ】本考案の携帯式気体充填保護カバーのもう１つの実施例の態様説明図である。
【図３Ｂ】本考案の携帯式気体充填保護カバーのもう１つの実施例の態様説明図である。
【図４Ａ】本考案の携帯式気体充填保護カバーの実施例の態様説明図である。
【図４Ｂ】本考案の携帯式気体充填保護カバーの実施例の態様説明図である。
【図５Ａ】本考案の携帯式気体充填保護カバーのもう１つのタイプの実施例の態様説明図である。
【図５Ｂ】本考案の携帯式気体充填保護カバーのもう１つのタイプの実施例の態様説明図である。
【図６Ａ】本考案の携帯式気体充填保護カバーのもう１つのタイプの実施例の態様説明図である。
【図６Ｂ】本考案の携帯式気体充填保護カバーのもう１つのタイプの実施例の態様説明図である。
【図７Ａ】本考案の携帯式気体充填保護カバーのもう１つのタイプの実施例の態様説明図である。
【図７Ｂ】本考案の携帯式気体充填保護カバーのもう１つのタイプの実施例の態様説明図である。
【考案を実施するための形態】
【００２７】
本考案の構造、使用及びその特徴に対して更に明確、詳細に認識、理解するため、好適な実施例を挙げ、図面を合わせて以下に詳細に説明する。
【００２８】
図１、図２Ａ〜図２Ｅに示すように、本考案の携帯式気体充填保護カバーは実施時、帯体１０、気体充填装置２０（図２Ｅ参照）及び弾性帯３０を含む。該帯体１０は、体積の大きさを変化させることができる気体充填部１１を設ける。該気体充填部１１の内部構造は、気体室１１０を設け、且つ該気体充填部１１両側にそれぞれ柔軟で屈曲可能な第１包囲部１２及び第２包囲部１３を設ける。
使用時、図２Ａ及びその他の図に示すように、該第１包囲部１２及び該第２包囲部１３によって使用時に使用者の胴体又は四肢を包囲するリング空間４０を構成する（図中の使用者の手腕は、該リング空間４０中に置かれている）。
【００２９】
該気体充填装置２０の部分について、図２Ｅを参照する。使用時、該気体充填装置２０は、該帯体１０の外表面に取り付けられ、該気体充填装置２０及び該気体室１１０が互いに連通し、気体を充填して該気体室１１０の体積を変化させることに用いられ、該気体充填部１１の体積に影響を及ぼし、該リング空間４０の寸法、大きさを伴って変化させ、リング空間４０中の使用者の身体に対してマッサージを行う。
【００３０】
最後に該弾性帯３０の部分について、該弾性帯３０の一端は、該第１包囲部１２に接続され、他端は、該第２包囲部１３と接続することに用いられる接続部材３１を設け、弾性伸縮変形によって該弾性帯３０の長さを変化させ、該弾性帯３０の力量を利用して該リング空間４０に内向きに収束する弾性作用力３２を発生させる。
【００３１】
図１、図２Ａ〜図２Ｅに示される好適な実施例中の態様について詳細に説明する。使用時の順序は図２Ａ〜図２Ｅに示すとおりである。
先ず、図２Ａに示すように、使用者の胴体又は四肢（図では手腕）を該帯体１０が形成する該リング空間４０中に入れ、その後、図２Ｂに示すように、該弾性帯３０を該第２包囲部１３に接続し、続いて、図２Ｃ、図２Ｄに示すように、該第１包囲部１２（図では、２つの形状の異なるシートであり、詳細は後述する）は、順にそれぞれ該弾性帯３０上に被さり合い、該第２包囲部１３を接続し、最後に図２Ｅに示すように該気体充填装置２０を取り付ける。
【００３２】
各部材間の結合保水器について、該実施例中、該第１包囲部１２の内側面に該第２包囲部１３と接続する固定部材１２０を設け、該帯体１０の該第２包囲部１３及び該気体充填部１１の外側表面が共同で組み合わせ部材１３０を設け、該組み合わせ部材１３０は、該第１包囲部１２の該固定部材１２０及び該弾性帯３０の該接続部材３１を接続固定することに用いられる。
【００３３】
また、本実施例において、該気体充填部１１の表面に該気体充填装置２０及び該気体室１１０を接続させる送気管２１を設ける（表示に便利であるため、該送気管２１は比率に応じて描いていない）。
該気体充填装置２０の裏面は、該送気管２１に対応した注気管２２を設け、且つ該気体充填装置２０の裏面も該組み合わせ部材１３０と接続することに用いられる接合部材２３を設け、該気体充填装置２０を該帯体１０の表面に固定でき、且つ該送気管２１によって該気体室１１０に対して気体の充填を行う。
【００３４】
本考案は、該組み合わせ部材１３０、該接続部材３１、該固定部材１２０及び該接合部材２３の種類を制限するものではない。本実施例において、該部材は、何れも、面ファスナーであるが、他の実施例において、繰り返し粘着できるテープ、ボタン、フック等の２つの部材の間を繰り返し、分離、組み合わせできる部材であることができる。また、該組み合わせ部材１３０の位置を特に制限するものではなく、その他の実施例、例えば、図４Ａ、図４Ｂの実施例において、該組み合わせ部材１３０は、該第１包囲部１２の表面に設置することもできる。
【００３５】
該弾性帯３０の部分について、該第１包囲部１２は、該気体充填部１１に近隣する第１端１２１及び該気体充填部１１から離れる第２端１２２を有する。本実施例において、該携帯式気体充填保護カバーは、更に補助弾性帯３０１を含み、該弾性帯３０及び該補助弾性帯３０１は、それぞれ該第１端１２１に接続し、且つ該補助弾性帯３０１の一端は、同様に該第１包囲部１２の該第１端１２１に接続し、他端が同様に、該第２包囲部１３の接続部材３１に接続し、該弾性帯３０は、それぞれ該帯体１０短軸に近隣する相反した両側位置に配列される。
使用時、図２Ｂに示すように、該弾性帯３０及び該補助弾性帯は、該帯体１０の短軸方向の相反した両側位置にそれぞれ該弾性作用力３２を提供し、人体に更に貼合させることができる。
【００３６】
また、本実施例において、該第１包囲部１２は、更に、第１シート１２３及び第２シート１２４を含む。該第１シート１２３及び該第２シート１２４の形状は、異なり、該固定部材１２０は、同様に該第１シート１２３及び該第２シート１２４の内側面に設置され、該帯体１０の短軸辺縁に近接してそれぞれ該帯体１０の相反する両側辺に位置し、該弾性帯３０及び該補助弾性帯３０１を覆うことができる。
【００３７】
図２Ｃ、図２Ｄに示すように、組み合わせ時、該第１シート１２３及び該第２シート１２４は、該弾性帯３０及び該補助弾性帯３０１の表面を覆い、該弾性帯３０及び該補助弾性帯３０１を該第１包囲部１２及び該第２包囲部１３の間に位置する。
且つ該第１シート１２３の一部の範囲は、更に該第２シート１２４の一部の範囲と互いに重なり合い、視覚上、第１シート１２３及び第２シート１２４を利用して該弾性帯３０を覆い、重なり合いの中の該第２シート１２４が第１シート１２３に覆われて脱落し難く、該弾性帯３０及び該第２包囲部１３の分離を更に防止することができる。
【００３８】
また、本実施例において、該第１シート１２３の該第２シート１２４により覆われていない残りの部分の範囲及び該第２シート１２４の該第１シート１２３で覆われていない残りの部分の範囲の間に間隔空間１２５を形成し、該間隔空間１２５箇所は、該箇所の厚さが比較的薄い設計によって良好な通気性能を有する。
【００３９】
実施例について、本考案は、該第１シート１２３及び該第２シート１２４の材料の種類を制限せず、本実施例において、該第１シート１２３、該気体充填部１１及び該第２包囲部１３は、同一の材料で形成され、該第２シート１２４のは、通気性の良好な材料で形成される。
また、本考案は、同様に該第１シート１２３及び該第２シート１２４の部材形状も制限せず、図２Ａ〜図２Ｄに示すような実施例において、該第１シート１２３及び該第２シート１２４は、該第２シート１２４は、該第２カバー部材の表面に接続するが、その他の実施例では、図３のように、該第１シート１２３及び該第２シート１２４は、長さが比較的案外ことによって延伸し、該気体充填部１１の表面に接続する。
【００４０】
図３Ａに示すように、本実施例において、該第１シート１２３及び該第２シート１２４は、長さが比較的長いことによって一部が該気体充填部１１の表面を覆い、且つそのうち、該第１シート１２３で覆われていない残りの部分の範囲は、該第２シート１２４により覆われていない残りの部分の範囲との間は、同様に間隔空間１２５を形成する。
しかしながら、この実施例において、該間隔空間１２５は、該気体充填装置２０の外型輪郭に対応し、且つ該送気管２１の位置がちょうど該間隔空間１２５中に位置し、該気体充填装置２０を着脱する時、該第１包囲部１２は、該気体充填部１１上を覆うか否かは、何れも該気体充填装置２０の着脱状況及びその機能に影響を及ぼさない。
【００４１】
特筆すべきは、本考案は、該弾性帯３０及び該補助弾性帯３０１の設置位置を制限せず、図３Ｂに示すような実施例において、該弾性帯３０及び該補助弾性帯３０１は、該第２端１２２の位置に取り付けられ、該弾性帯３０及び該第１包囲部１２を同時に該第２包囲部１３に接続させる時、該弾性帯３０及び該第１包囲部１２部分は、それぞれ該第２包囲部１３外側の異なる位置を覆う点である。
【００４２】
また、本考案は、該気体充填部１１、該気体室１１０、該第１包囲部１２、該第２包囲部１３の形状帯を制限せず、更に、該第１包囲部１２及び該第２包囲部１３の間の関係を制限せず、故に図４Ａ、図４Ｂに示す実施例において、該第１包囲部１２の形状は、単一のシートである。
該実施例において、該第２包囲部１３の部分は、該第２包囲部１３の形状を変更し、その辺縁１３１部分の一部は、第１短シート１３２、第２短シート１３３を延伸し、該第１短シート１３２、第２短シート１３３の間は、同様に間隔空間１２５を有する。
【００４３】
図４Ａ、図４Ｂに示す実施例は、使用時、該第２包囲部１３の辺縁１３１が該第１包囲部１２に隣接し、該第１短シート１３２、該第２短シート１３３は、該第１包囲部１２を覆い、該組み合わせ部材１３０によって該第１包囲部１２に接続し、且つ該弾性帯３０は、該第２端１２２から該間隔空間１２５を介して該第２包囲部１３の表面に貫通して接続する。
【００４４】
図５Ａ、図５Ｂに示すように、該気体充填部１１が発生するマッサージ効果を増加させるため、幾つかの実施例において、該気体充填部１１の該帯体１０に近接する一側に制限片５０を設ける。該制限片５０は、可撓性が該帯体１０より低い材料、例えば、プラスチック又は金属で形成され、該気体充填部１１が体積を変化させる時、該気体充填部の一面に該制限片５０によるその膨張の方向の制限を受けさせ、該気体充填部１１が体積を変化させる時、単一方向に該リング空間４０の方向へ体積を変化させ、変化する体積を人体の押圧マッサージに十分に利用させる。
【００４５】
図６Ａ、図６Ｂに示すように、該気体充填部１１が発生するマッサージ効果を増加するため、幾つかの実施例において、該帯体１０の内表面に結合部６０を設置し、該結合部６０は、人体の局部位置に対して圧迫する突起６１を設置し、該突起６１の背面に結合部材６２を設け（図に示すのに便利にするため、割合に従って作図していない）、該結合部材６２及び該結合部６０の組み合わせによって、選択的に該突起６１を結合し、該帯体１０内表面の任意の位置に設置し、該突起６１を利用して該リング空間４０中の胴体の特定位置に対して更なる圧迫を行う。
【００４６】
そのうち、図６Ａ、図６Ｂ中の実施例において、該突起６１は、複数の突起ブロックを設置した一組の可撓性シート６１０であり、該結合部材６２及び該結合部６０は、一組の面ファスナーである、
該結合部６０は、該帯体１０の該気体充填部１１の内側表面に設けられるが、本考案は、該突起６１の態様、大きさ及び該結合部材６２及び該結合部６０の種類を制限するものではなく、該結合部６０の詳細な位置を制限しておらず、故にその他の実施例において、該突起６１は、単一の突起ブロック状物であることができ、該結合部材６２及び該結合部６０は、粘着シートに変更することができる。且つ該結合部６０の範囲は、該気体充填部１１の内側表面のみに位置するように制限するものではなく、該帯体１０の全内側表面であることができる（即ち、該第１包囲部１２及び該第２包囲部１３上の該リング空間４０に近接する表面を含む）。
【００４７】
図７Ａ、図７Ｂに示すように、本考案の携帯式気体充填保護カバーは、該帯体１０の数量及び設計方式を限定せず、故に図７Ａ、図７Ｂに示すような実施例において、該携帯式気体充填保護カバーは、本体７０を設け、該本体７０は、第１帯体７１、第２帯体７２及び構造が該第１帯体７１、該第２帯体７２と異なる第３帯体７３を有し、該第１帯体７１、該第２帯体７２及び該第３帯体７３は、相互間の短軸方向の側辺によって相互に接続される。
【００４８】
そのうち、該第１帯体７１及び該第２帯体７２の構造は、前述の該帯体１０の構造に対応する。即ち、該第１帯体７１及び該第２帯体７２は、該帯体１０の該気体充填部１１に対応する第１気体充填部７１１及び第２気体充填部７２を有し、且つ該第１気体充填部７１１及び該第２気体充填部７２１の両側に同様に該帯体１０の該第１包囲部１２に対応する第１左包囲部７１３、第２左包囲部７２３及び該帯体１０の該第２包囲部１３に対応する第１右包囲部７１４、第２右包囲部７２４を設ける。
且つ該第１左包囲部７１３及び該第１右包囲部７１４、該第２左包囲部７２３及び該第２右包囲部７２４は、同様に隣り合って位置決めされ、第１リング空間７１５及び第２リング空間７２５を構成する。該第１リング空間７１５、該第２リング空間７２５及び該第３リング空間７３５は、該使用者の足部の異なる位置の一部分を共同で包囲する（図７Ｂは、それぞれ腿の下方及び脹脛に位置する）。
【００４９】
同様に、帯体の数量の増加に対応し、本実施例において、該第１帯体７１は、対応する第１弾性帯７１６を接続し、該第１リング空間７１５に向けて内向きに収束する弾性作用力３２を発生する。該第２帯体７２は、対応する第２弾性帯７２６を接続し、該第２リング空間７２５に向けて内向きに収束する弾性作用力３２を発生する。
【００５０】
該第３帯体７３の部分について、図７Ａ、図７Ｂに示すように、該第３帯体７３は、足踏み部７３１及び粘着部７３２を有し、該粘着部７３２の一端が該足踏み部７３１に接続し、他端は、該第２帯体７２に接続し、且つ該足踏み部７３１の両側は、同様に第３左包囲部７３３、及び第３右包囲部７３４を設ける。
使用時、該第３左包囲部７３３及び該第３右包囲部７３４は、使用者の足裏を囲い、該粘着部７３２に固定して隣り合って位置決めされ、第３リング空間７３５を構成し、使用者の足裏を収容させる。そのうち、該第３帯体７３は、該第１帯体７１及び該第２帯体７２に異なり、直接弾性伸縮材料を利用して該第３左包囲部７３３を構成し、第３弾性帯７３６として該第３リング空間７３５に向けて内向きに収束する弾性作用力３２を発生する。
【００５１】
気体室及び気体充填方面に対する設計は、図７Ａ及び図７Ｂに示すように、該実施例において、該第２気体室７２２内部に第１気体バッグ７２２ａ及び第２気体バッグ７２２ｂを設け、該第１気体バッグ７２２ａは、第１通気口８０１を設け、該第２気体バッグ７２２ｂは、第２通気口８０２を設け、該気体充填装置２０は、該第２帯体７２の外表面に取り付けられ、該気体充填装置２０表面上の第１送気管８１１及び該第１通気口８０１と接続して該第１気体バッグ７２２ａと連通し、第２送気管８１２によって該第２通気口８０２と接続して該第２気体バッグ７２２ｂと連通する。
該第１気体室７１２及び該第１気体バッグ７２２ａの間は、連通管８０３で相互に接続され、且つ該連通管８０３が該本体７０内部に埋め込まれ、該第１気体室７１２及び該第２気体室７２２が該気体充填装置２０により同時に気体充填される。
【００５２】
本考案は、該実施例中の携帯式気体充填保護カバーの取り付け位置に制限するものではなく、故に、使用者の手部又はその他の位置に取り付けられることもできる。該帯体１０の数量も制限せず、３つ以上に増設することもできる。該帯体１０上の気体充填部１１中の気体室又はそのうちの気体バッグの数量について同様に制限せず、使用者の要求に伴って変化させることができる。また、該各帯体７１、７２、７３のその他の構造の変化について、前記段落中の該帯体１０の変化の実施例を参考することもできる。
本考案は、該本体７０がその他の構造を含むことができないように制限するものではなく、故に幾つかの実施例において、使用の必要に応じて構造が該第１帯体７１、該第２帯体７２及び該第３帯体７３の帯体又はその他の構造を設置することができる。
【００５３】
本考案では好ましい実施例を前述の通り開示したが、これらは決して本考案を限定するものではなく、当該技術を熟知する者なら誰でも、本考案の精神と領域を脱しない均等の範囲内で各種の変動や潤色を加えることができることは勿論である。
【符号の説明】
【００５４】
１０  帯体
１１  気体充填部
１１０  気体室
１２  第１包囲部
１２０  固定部材
１２１  第１端
１２２  第２端
１２３  第１シート
１２４  第２シート
１２５  間隔空間
１３  第２包囲部
１３０  組み合わせ部材
１３１  辺縁
１３２  第１短シート
１３３  第２短シート
２０  気体充填装置
２１  送気管
２２  注気孔
２３  接合部材
３０  弾性帯
３０１  補助弾性帯
３１  接続部材
３２  弾性作用力
４０  リング空間
５０  制限片
６０  結合部
６１  突起
６１０  可撓性シート
６２  結合部材
７０  本体
７１  第１帯体
７１１  第１気体充填部
７１２  第１気体室
７１３  第１左包囲部
７１４  第１右包囲部
７１５  第１リング空間
７１６  第１弾性帯
７２  第２帯体
７２１  第２気体充填部
７２２  第２気体室
７２２ａ  第１気体バッグ
７２２ｂ  第２気体バッグ
７２３  第２左包囲部
７２４  第２右包囲部
７２５  第２リング空間
７２６  第２弾性帯
７３  第３帯体
７３１  足踏み部
７３２  粘着部
７３３  第３左包囲部
７３４  第３右包囲部
７３５  第３リング空間
７３６  第３弾性帯
８０１  第１通気口
８０２  第２通気口
８１１  第１送気管
８１２  第２送気管
８０３  連通管
【図１】
0003213087.tif 000003
【図２Ａ】
0003213087.tif 000004
【図２Ｂ】
0003213087.tif 000005
【図２Ｃ】
0003213087.tif 000006
【図２Ｄ】
0003213087.tif 000007
【図２Ｅ】
0003213087.tif 000008
【図３Ａ】
0003213087.tif 000009
【図３Ｂ】
0003213087.tif 000010
【図４Ａ】
0003213087.tif 000011
【図４Ｂ】
0003213087.tif 000012
【図５Ａ】
0003213087.tif 000013
【図５Ｂ】
0003213087.tif 000014
【図６Ａ】
0003213087.tif 000015
【図６Ｂ】
0003213087.tif 000016
【図７Ａ】
0003213087.tif 000017
【図７Ｂ】
0003213087.tif 000018